(57)【要約】【課題】アダプタにカードを装着するのを忘れて、アダプタのみをスロットに挿入したような場合の記録ミスを防止する。【解決手段】第１のメモリカードが挿入可能な大きさのスロットに、第１のメモリカードよりサイズの小さい第２のメモリカードが第１のメモリカードと実質的に同サイズのアダプタに装着された状態で挿入される情報記録装置において、第１センサによりアダプタがスロットに挿入されていることが検知され、かつ、第２センサによりアダプタに第２のメモリカードが装着されていることが検知されない場合に、警告のメッセージを表示するようにした。【選択図】図８
2007241547.tif 000002
【特許請求の範囲】
【請求項１】
本体に設けられたスロットに挿入されるメモリカードに情報を記録する装置であって、第１のメモリカードが挿入可能な大きさのスロットに、前記第１のメモリカードよりサイズの小さい第２のメモリカードが前記第１のメモリカードと実質的に同サイズのアダプタに装着された状態で挿入される情報記録装置において、
前記スロットの奥に設けられ、前記スロットに前記アダプタが挿入されたときに当該アダプタを検知する第１のセンサと、
前記スロットの入口付近に設けられ、前記スロットに挿入されたアダプタに装着されている第２のメモリカードを検知する第２のセンサと、
前記第１および第２のセンサの検知結果に基づいて、前記第１および第２のメモリカードへの情報記録を制御する制御手段と、
前記第１および第２のセンサの検知結果に基づいて、所定のメッセージを表示する表示部とを備え、
前記制御手段は、前記第１のセンサによりアダプタがスロットに挿入されていることが検知され、かつ、前記第２のセンサによりアダプタに第２のメモリカードが装着されていることが検知された場合に、当該第２のメモリカードへの情報記録を許可し、前記第１のセンサによりアダプタがスロットに挿入されていることが検知され、かつ、前記第２のセンサによりアダプタに第２のメモリカードが装着されていることが検知されない場合に、当該第２のメモリカードへの情報記録を禁止し、
前記表示部は、前記第１のセンサによりアダプタがスロットに挿入されていることが検知され、かつ、前記第２のセンサによりアダプタに第２のメモリカードが装着されていることが検知されない場合に、カードの挿入を促すメッセージを表示することを特徴とする情報記録装置。
【請求項２】
本体に設けられたスロットに挿入されるメモリカードに情報を記録する装置であって、第１のメモリカードが挿入可能な大きさのスロットに、前記第１のメモリカードよりサイズの小さい第２のメモリカードが前記第１のメモリカードと実質的に同サイズのアダプタに装着された状態で挿入される情報記録装置において、
前記スロットに前記アダプタが挿入されたときに当該アダプタを検知する第１の検知手段と、
前記スロットに挿入されたアダプタに装着されている第２のメモリカードを検知する第２の検知手段と、
前記第１および第２の検知手段の検知結果に基づいて、前記第１および第２のメモリカードへの情報記録を制御する制御手段とを備え、
前記制御手段は、前記第１の検知手段によりアダプタがスロットに挿入されていることが検知され、かつ、前記第２の検知手段によりアダプタに第２のメモリカードが装着されていることが検知されない場合に、警告を出力することを特徴とする情報記録装置。
【請求項３】
請求項２に記載の情報記録装置において、
前記第１の検知手段によりアダプタがスロットに挿入されていることが検知され、かつ、前記第２の検知手段によりアダプタに第２のメモリカードが装着されていることが検知されない場合に、前記制御手段は、内蔵メモリへの情報記録が可能か否かを判定し、内蔵メモリへの情報記録が可能であれば当該内蔵メモリへ情報記録を行い、内蔵メモリへの情報記録が可能でなければ警告を出力することを特徴とする情報記録装置。
【発明の詳細な説明】
【技術分野】
【０００１】
本発明は、メモリカードに画像や音声などの情報を記録する情報記録装置に関するものである。
【背景技術】
【０００２】
メモリカードが挿入されるスロットを備えたカメラ付き携帯電話機やＩＣレコーダなどの情報記録装置においては、スロットに挿入されたメモリカードに、撮影した画像や録音した音声を記録するようになっている。図１２は、メモリカードの一例を示した概略図である。図１２（ａ）のメモリカード３１は、サイズの大きなＳＤカード（ＳＤは登録商標）であって、その外形寸法はａ１＝３２ｍｍ、ｂ１＝２４ｍｍであり、厚さは２．１ｍｍとなっている。また、カードの裏側の端部には、情報記録装置側の端子と電気的に接続される複数の接続端子（図示省略）が設けられている。一方、図１２（ｂ）のメモリカード３２は、サイズの小さなｍｉｎｉＳＤカードであって、その外形寸法はａ２＝２１．５ｍｍ、ｂ２＝２０ｍｍであり、厚さは１．４ｍｍとなっている。また、カードの裏側の端部には、情報記録装置側の端子と電気的に接続される複数の接続端子（図示省略）が設けられている。
【０００３】
上記のように、ｍｉｎｉＳＤカード３２はＳＤカード３１に比べてサイズが小さいため、ＳＤカード３１のサイズに対応したスロットを備えた情報記録装置でｍｉｎｉＳＤカード３２を使用する場合には、アダプタが用いられる。図１３（ａ）はｍｉｎｉＳＤカード用のアダプタ４０の一例を示す外観図である。このアダプタ４０は、ＳＤカード３１と実質的に同じサイズを有しており、内部には、ｍｉｎｉＳＤカード３２の接続端子と電気的に接続される端子が設けられているとともに、アダプタの裏側の端部には、情報記録装置側の端子と電気的に接続される接続端子（図示省略）が設けられている。図１３（ｂ）は、アダプタ４０にｍｉｎｉＳＤカード３２を装着した状態を示している。このｍｉｎｉＳＤカード３２が装着されたアダプタ４０を情報記録装置のスロットに挿入すると、アダプタ４０の端子を介してｍｉｎｉＳＤカード３２と情報記録装置とが電気的に接続され、ｍｉｎｉＳＤカード３２への画像や音声の記録が可能となる。
【０００４】
下記の特許文献１には、パーソナルコンピュータや携帯情報端末（ＰＤＡ；Personal Digital Assistance）などの機器に設けられたスロットに、アダプタを介してメモリカードを装着することが記載されている。
【特許文献１】特開２００３−２８１４７３号公報
【発明の開示】
【発明が解決しようとする課題】
【０００５】
従来の情報記録装置では、ＳＤカード用のアダプタを用いる場合に、次のような問題が生じる。例えば、アダプタにｍｉｎｉＳＤカードを装着するのを忘れて、アダプタのみをスロットに挿入した場合や、アダプタをｍｉｎｉＳＤカードとともにスロットに挿入した後、アダプタをスロット内に残してｍｉｎｉＳＤカードだけを引抜いた場合でも、ＳＤカードと同サイズのアダプタが装着されていることから、装置側ではＳＤカードが挿入されているものと誤判断して、画像や音声の記録を許可してしまう。しかし、スロット内にあるのはアダプタだけであるから、画像や音声などの記録操作を行っても、これらの情報は記録されない。このため、例えばカメラ付き携帯電話機で撮影した画像をｍｉｎｉＳＤカードに記録したつもりが、実際には記録されていなかったことが後になって判明するといった事態が起こりうる。
【０００６】
上記特許文献１には、メモリカードがアダプタに装着されたことをアダプタに設けたスイッチで検知することが示されているが、この目的は主として、カードの有無を検知して電力の供給／停止を制御することであり、上述したような情報記録装置における特有の問題を解決する手段を提供するものではない。
【０００７】
本発明は、上述した課題を解決するものであって、その目的とするところは、アダプタにカードを装着するのを忘れてアダプタのみをスロットに挿入したり、アダプタをカードとともにスロットに挿入した後、カードだけを引抜いたりした場合の記録ミスを防止することにある。
【課題を解決するための手段】
【０００８】
本発明に係る情報記録装置は、本体に設けられたスロットに挿入されるメモリカードに情報を記録する装置であって、第１のメモリカードが挿入可能な大きさのスロットに、第１のメモリカードよりサイズの小さい第２のメモリカードが第１のメモリカードと実質的に同サイズのアダプタに装着された状態で挿入される。本発明は、このような情報記録装置において、スロットにアダプタが挿入されたときに当該アダプタを検知する第１の検知手段と、スロットに挿入されたアダプタに装着されている第２のメモリカードを検知する第２の検知手段と、第１および第２の検知手段の検知結果に基づいて、第１および第２のメモリカードへの情報記録を制御する制御手段とを備えたものである。制御手段は、第１の検知手段によりアダプタがスロットに挿入されていることが検知され、かつ、第２の検知手段によりアダプタに第２のメモリカードが装着されていることが検知されない場合に、警告を出力する。
【０００９】
本発明においては、アダプタがスロットに挿入されていることが検知されても、アダプタに第２のメモリカードが装着されていることが検知されない場合は、ユーザに対して警告が出力されるので、ユーザは操作の誤りに気付いて、第２のメモリカードを装着する措置をとる。したがって、従来のように、アダプタだけしか挿入されていないのにＳＤカードが挿入されているものと装置が誤判断して、カードのない状態で情報記録の動作が行われるのを未然に防止することができる。
【００１０】
警告は、例えば、第２のメモリカードの挿入を促すメッセージとして出力するのが好ましい。これによると、第２のメモリカードが挿入されていないことをユーザに的確に知らせることができ、第２のメモリカードの挿入により情報記録を確実に行うことができる。この場合のメッセージ出力は、モニタ画面への表示であってもよいし、音声での報知であってもよい。また、その両方を採用することもできる。但し、本発明における警告の態様は上記のようなメッセージだけに限らず、例えば、警報音のみの出力などの方法も採用することができる。
【００１１】
また、本発明では、情報記録装置が内蔵メモリを備えている場合、第１の検知手段によりアダプタがスロットに挿入されていることが検知され、かつ、第２の検知手段によりアダプタに第２のメモリカードが装着されていることが検知されないときは、内蔵メモリへの情報記録が可能か否かを判定し、内蔵メモリへの情報記録が可能であれば当該内蔵メモリへ情報記録を行い、内蔵メモリへの情報記録が可能でなければ警告を出力するようにしてもよい。これによると、第２のメモリカードの挿入を忘れた場合でも、内蔵メモリを利用して情報の記録を行うことができる。
【発明の効果】
【００１２】
本発明によれば、アダプタだけがスロットに挿入されていてメモリカードが装着されていない場合は、ユーザに対して警告が出力されるので、記録ミスを未然に防止して、メモリカードへの情報記録を確実に行うことができる。
【発明を実施するための最良の形態】
【００１３】
以下、本発明の実施形態につき、図面を参照しながら説明する。
【００１４】
図１は、本発明の情報記録装置の要部を示す図である。１００はカメラ付き携帯電話機やＩＣレコーダなどの情報記録装置であって、その本体１には、カード挿入用のスロット２が形成されている。３はスロット２を閉塞する蓋であって、本体１に回動可能に設けられている。４はスロット２の入口付近に設けられたセンサであって、ここではマイクロスイッチから構成されている。４ａはマイクロスイッチ４のアクチュエータであって、スロット２内に臨んでいる。
【００１５】
３１は第１のメモリカードであって、図１２（ａ）に示したメモリカード３１と同様に、ＳＤカードからなる。３２は第２のメモリカードであって、図１２（ｂ）に示したメモリカード３２と同様に、ｍｉｎｉＳＤカードからなる。４０は図１３（ａ）に示したものと同じアダプタ、４１はアダプタ４０に設けられているカード挿入口、４２はアダプタ４０の表側に形成された切欠部、４３はアダプタ４０の裏側に形成された切欠部である。ＳＤカード３１はそのままスロット２内に挿入され、ｍｉｎｉＳＤカード３２は、アダプタ４０へ装着された後、アダプタ４０とともにスロット２内に挿入される。
【００１６】
図２は、アダプタ４０のカード挿入口４１からｍｉｎｉＳＤカード３２を挿入して、アダプタ４０にｍｉｎｉＳＤカード３２を装着した状態を示している。前述のように、アダプタ４０の内部には、ｍｉｎｉＳＤカード３２の接続端子（図示省略）と電気的に接続される端子（図示省略）が設けられており、図２の状態では、アダプタ４０の端子とｍｉｎｉＳＤカード３２の端子とが電気的に接続されている。
【００１７】
図３および図４は、カード検知手段の例を示す図であって、本体１のスロット２付近の正面図を示している。図３（ａ）のように、ｍｉｎｉＳＤカード３２がアダプタ４０とともにスロット２内に挿入されている場合は、図２においてアダプタ４０の切欠部４２に露出しているｍｉｎｉＳＤカード３２の上面により、マイクロスイッチ４のアクチュエータ４ａが押し込まれて、マイクロスイッチ４はＯＮ状態となる。また、図３（ｂ）のように、ｍｉｎｉＳＤカード３２の装着されていないアダプタ４０、あるいはｍｉｎｉＳＤカード３２が事後的に抜き取られたアダプタ４０のみがスロット２内に挿入されている場合は、マイクロスイッチ４のアクチュエータ４ａがスロット２内に突出して、マイクロスイッチ４はＯＦＦ状態となる。したがって、マイクロスイッチ４のＯＮ、ＯＦＦ状態によって、ｍｉｎｉＳＤカード３２の有無を検出することができる。
【００１８】
また、図４（ａ）のように、ＳＤカード３１がスロット２内に挿入されている場合は、図３（ａ）と同様に、マイクロスイッチ４のアクチュエータ４ａが押し込まれて、マイクロスイッチ４はＯＮ状態となる。一方、図４（ｂ）のように、ＳＤカード３１がスロット２内に挿入されていない場合は、図３（ｂ）と同様に、マイクロスイッチ４のアクチュエータ４ａがスロット２内に突出して、マイクロスイッチ４はＯＦＦ状態となる。
【００１９】
図５および図６は、カード検知手段の他の例を示している。図５では、前記のマイクロスイッチ４に代えて、透過型フォトセンサ５が用いられる。５ａはフォトセンサ５の投光器、５ｂはフォトセンサ５の受光器である。図５（ａ）のように、ｍｉｎｉＳＤカード３２がアダプタ４０とともにスロット２内に挿入されている場合は、図２においてアダプタ４０の切欠部４２に露出しているｍｉｎｉＳＤカード３２により、投光器５ａから投射された光６が遮断され、光６が受光器５ｂに入射しないので、フォトセンサ５はＯＦＦ状態となる。また、図５（ｂ）のように、ｍｉｎｉＳＤカード３２の装着されていないアダプタ４０、あるいはｍｉｎｉＳＤカード３２が事後的に抜き取られたアダプタ４０のみがスロット２内に挿入されている場合は、投光器５ａから投射された光６がカードで遮断されずに、アダプタ４０の切欠部４２，４３を通って受光器５ｂに入射するので、フォトセンサ５はＯＮ状態となる。したがって、フォトセンサ５のＯＮ、ＯＦＦ状態によって、ｍｉｎｉＳＤカード３２の有無を検出することができる。
【００２０】
図６では、上記の透過型フォトセンサに代えて、投光部と受光部とを備えた反射型フォトセンサ７が用いられる。この例は、アダプタ４０が切欠部４２のみを備えていて切欠部４３を備えていない場合に好適である。図６（ａ）のように、ｍｉｎｉＳＤカード３２がアダプタ４０とともにスロット２内に挿入されている場合は、図２においてアダプタ４０の切欠部４２に露出しているｍｉｎｉＳＤカード３２の上面で、フォトセンサ７の投光部から投射された光８が反射し、フォトセンサ７の受光部に入射するので、フォトセンサ７はＯＮ状態となる。この場合、ｍｉｎｉＳＤカード３２の上面の光反射位置に、例えば白色の文字やマークを印刷したり、金属箔のラベルを貼ったりすることで、光の反射率を高めることができる。また、図６（ｂ）のように、ｍｉｎｉＳＤカード３２の装着されていないアダプタ４０、あるいはｍｉｎｉＳＤカード３２が事後的に抜き取られたアダプタ４０のみがスロット２内に挿入されている場合は、フォトセンサ７の投光部から投射された光８は、アダプタ４０の切欠部４２を通り底面まで到達してそこで反射するが、この反射光はフォトセンサ７の受光部には入射せず、一部が入射するとしても光量はごく微量なので、フォトセンサ７はＯＦＦ状態となる。したがって、フォトセンサ７のＯＮ、ＯＦＦ状態によって、ｍｉｎｉＳＤカード３２の有無を検出することができる。
【００２１】
図７は、情報記録装置１００の電気的構成を示したブロック図である。５０は装置全体の制御を行うＣＰＵ、５１は情報記録の操作を行うための操作部、５２は記録する画像や音声などの情報が入力される情報入力部である。５３は第１センサであって、本体１のスロット２の奥に設けられたマイクロスイッチ（図示省略）などから構成される。５４は第２センサであって、前述の図３〜図６に示したマイクロスイッチ４、透過型フォトセンサ５、または反射型フォトセンサ７から構成される。５５はＣＰＵ５０の動作プログラム等が格納されたＲＯＭ、５６は各種のデータが一時的に記憶されるＲＡＭ、５７は液晶ディスプレイ等からなる表示部である。５８は、スロット２内に設けられるインターフェイスであって、カードやアダプタの端子と電気的に接続される接続端子等から構成される。３１はＳＤカード、３２はｍｉｎｉＳＤカード、４０はアダプタであって、これらは図１、図２で示したものと同じものである。
【００２２】
以上において、ＳＤカード３１は本発明における第１のメモリカードの一実施形態を構成し、ｍｉｎｉＳＤカード３２は本発明における第２のメモリカードの一実施形態を構成し、第１センサ５３は本発明における第１の検知手段の一実施形態を構成し、第２センサ５４は本発明における第２の検知手段の一実施形態を構成し、ＣＰＵ５０は本発明における制御手段の一実施形態を構成している。
【００２３】
図８は、情報記録装置１００の動作のうち、情報記録時の制御動作を示したフローチャートである。この手順は、情報記録装置１００の操作部５１によって情報記録の操作がされた場合に、ＣＰＵ５０によって実行される手順である。以下、図８に基づいて動作を説明する。
【００２４】
情報記録の操作（例えば撮影モードや録音モードの設定）がされると、ＣＰＵ５０は、第１センサ５３からの検知出力の有無を判定する（ステップＳ１）。第１センサ５３は、上述のとおりスロット２の奥に設けられており、スロット２にＳＤカード３１またはアダプタ４０が挿入されない状態では、第１センサ５３から検知出力はなく、スロット２にＳＤカード３１またはアダプタ４０が挿入されると、第１センサ５３から検知出力が得られる。したがって、第１センサ５３からの検知出力がなければ（ステップＳ１：ＮＯ）、スロット２にＳＤカード３１もアダプタ４０もないと判断し（ステップＳ２）、ステップＳ７へ移る。一方、第１センサ５３からの検知出力があれば（ステップＳ１：ＹＥＳ）、スロット２にＳＤカード３１またはアダプタ４０があると判断し、ステップＳ３へ移る。
【００２５】
ステップＳ３では、ＣＰＵ５０は、第２センサ５４からの検知出力の有無を判定する。第２センサ５４（例えばマイクロスイッチ４）は、上述のとおりスロット２の入口付近に設けられており、アダプタ４０にｍｉｎｉＳＤカード３２が装着されている状態、またはＳＤカード３１がスロット２に挿入されている状態では、第２センサ５４から検知出力が得られるが、アダプタ４０にｍｉｎｉＳＤカード３２が装着されていない状態では、第２センサ５４から検知出力が得られない。したがって、第２センサ５４からの検知出力があれば（ステップＳ３：ＹＥＳ）、ＳＤカード３１またはｍｉｎｉＳＤカード３２のいずれかがスロット２に正常に挿入されているとみなして、カード有と判定する（ステップＳ５）。このように判定した場合は、ステップＳ６に移行して情報記録を許可し、通常の記録動作が行われる。すなわち、例えばカメラ付き携帯電話機の場合だと、撮影ボタンを押すことによって、ＳＤカード３１やｍｉｎｉＳＤカード３２への画像記録が行われ、ＩＣレコーダの場合だと、録音ボタンを押すことによって、ＳＤカード３１やｍｉｎｉＳＤカード３２への音声記録が行われる。一方、ステップＳ３において、第２センサ５４からの検知出力がなければ（ステップＳ３：ＮＯ）、スロット２にアダプタ４０のみが挿入されていてｍｉｎｉＳＤカード３２が装着されていないとみなし、カード無と判定する（ステップＳ４）。
【００２６】
ステップＳ２またはステップＳ４で、カード無と判定された場合は、ステップＳ７へ移行する。ステップＳ７では、情報記録装置１００の表示部５７に、警告として、スロット２へのカードの挿入を促すメッセージを出力する。図９（ａ）は、表示部５７の画面５７ａに表示されるメッセージの例を示している。なお、ＳＤカード３１がスロット２に挿入されていない場合は、ステップＳ１で判定がＮＯとなるのに対し、アダプタ４０にｍｉｎｉＳＤカード３２が装着されていない場合はステップＳ３で判定がＮＯとなって、ソフトウェア上で両者を区別できるので、前者の場合に図９（ａ）のメッセージを表示し、後者の場合には図９（ｂ）のメッセージを表示するようにしてもよい。このようなメッセージを表示する一方で、ＣＰＵ５０は、情報記録動作を禁止する（ステップＳ８）。これによって、例えばカメラ付き携帯電話機の場合だと、撮影ボタンを押しても何も撮影されない状態となり、ＩＣレコーダの場合だと、録音ボタンを押しても何も録音されない状態となる。
【００２７】
以上のように、上述した実施形態においては、第１センサ５３によりアダプタ４０がスロット２に挿入されていることが検知され、かつ、第２センサ５４によりアダプタ４０にｍｉｎｉＳＤカード３２が装着されていることが検知された場合に、ｍｉｎｉＳＤカード３２への情報記録を許可し、第１センサ５３によりアダプタ４０がスロット２に挿入されていることが検知され、かつ、第２センサ５４によりアダプタ４０にｍｉｎｉＳＤカード３２が装着されていることが検知されない場合に、表示部５７に警告のメッセージを表示して、カードへの情報記録を禁止するようにしている。このため、従来のように、アダプタ４０だけしか挿入されていないのにＳＤカード３１が挿入されているものと装置が誤判断して、カードのない状態で情報記録の動作が行われるのを未然に防止することができる。また、カードの挿入を促すメッセージを警告として表示するので、ユーザがアダプタ４０にｍｉｎｉＳＤカード３２が装着されていないことに気付いて、ｍｉｎｉＳＤカード３２を挿入することで、情報記録を確実に行うことができる。
【００２８】
図１０は、本発明の他の実施形態によるフローチャートを示している。この実施形態においては、情報記録装置１００が、図１１に示したように内蔵メモリ５９を備えている。なお、図１１において、内蔵メモリ５９以外の構成は図７と同じであるので、図７と同一部分には同一符号を付してある。
【００２９】
図１０において、ステップＳ１〜Ｓ６での処理は、図８のステップＳ１〜Ｓ６での処理と全く同じであるので、簡単に説明するにとどめる。情報記録の操作がされると、ＣＰＵ５０は、第１センサ５３からの検知出力の有無を判定し（ステップＳ１）、検知出力がなければ（ステップＳ１：ＮＯ）、スロット２にＳＤカード３１もアダプタ４０もないと判断し（ステップＳ２）、ステップＳ９へ移る。一方、第１センサ５３からの検知出力があれば（ステップＳ１：ＹＥＳ）、スロット２にＳＤカード３１またはアダプタ４０があると判断し、ステップＳ３へ移って、第２センサ５４からの検知出力の有無を判定する。検知出力があれば（ステップＳ３：ＹＥＳ）、ＳＤカード３１またはｍｉｎｉＳＤカード３２のいずれかがスロット２に正常に挿入されているとみなして、カード有と判定し（ステップＳ５）、ステップＳ６に移行する。一方、第２センサ５４からの検知出力がなければ（ステップＳ３：ＮＯ）、スロット２にアダプタ４０のみが挿入されていてｍｉｎｉＳＤカード３２が装着されていないとみなし、カード無と判定して（ステップＳ４）、ステップＳ９へ移る。
【００３０】
ステップＳ９では、内蔵メモリ５９の使用が可能か否かを判定する。内蔵メモリ５９の記憶容量に空きがある場合は、使用可と判定して（ステップＳ９：ＹＥＳ）、ステップＳ１０へ進み、記憶媒体を内蔵メモリ５９に切り替えて（ステップＳ１０）、ステップＳ６と同じ通常動作に移る（ステップＳ１１）。一方、内蔵メモリ５９の記憶容量に空きがない場合は、使用不可と判定して（ステップＳ９：ＮＯ）、ステップＳ１２へ進み、図８のステップＳ７と同様に、表示部５７に図９のような警告のメッセージを表示するとともに、情報記録動作を禁止する（ステップＳ１３）。
【００３１】
このように図１０の実施形態においては、カード無と判定された場合に、直ちに警告メッセージを表示したり記録動作を禁止するのではなく、内蔵メモリ５９の使用可否を判定し、内蔵メモリ５９が使用可能であれば内蔵メモリ５９に切り替えて通常動作を行い、内蔵メモリ５９が使用不可の場合に、警告メッセージの表示および記録動作の禁止を行うようにしている。このため、アダプタ４０にｍｉｎｉＳＤカード３２が装着されていなくても、内蔵メモリ５９が使用可能であれば、内蔵メモリ５９を利用して情報の記録を行うことができる。
【００３２】
上述した実施形態では、メモリカードとしてＳＤカード（ｍｉｎｉＳＤカード）を例に挙げたが、本発明のメモリカードはこれのみに限定されるものではなく、例えばメモリースティック（登録商標）、スマートメディア（登録商標）、コンパクトフラッシュ（登録商標）などの薄型の記憶媒体であってもよい。
【００３３】
また、上述した実施形態では、情報記録装置としてカメラ付き携帯電話機やＩＣレコーダを例に挙げたが、本発明はこれら以外にも、例えば携帯情報端末（ＰＤＡ）、デジタルオーディオ機器、デジタルカメラなどの情報記録装置にも適用することができる。
【図面の簡単な説明】
【００３４】
【図１】本発明の情報記録装置の要部を示す図である。
【図２】アダプタにｍｉｎｉＳＤカードを装着した状態を示す図である。
【図３】カード検知手段の例を示す図である。
【図４】カード検知手段の例を示す図である。
【図５】カード検知手段の他の例を示す図である。
【図６】カード検知手段の他の例を示す図である。
【図７】情報記録装置の電気的構成を示したブロック図である。
【図８】情報記録時の制御動作を示したフローチャートである。
【図９】表示部の画面に表示されるメッセージの例である。
【図１０】本発明の他の実施形態によるフローチャートである。
【図１１】他の実施形態による情報記録装置の電気的構成を示したブロック図である。
【図１２】メモリカードの一例を示した概略図である。
【図１３】アダプタの一例を示す外観図と、アダプタにｍｉｎｉＳＤカードを装着した状態を示す図である。
【符号の説明】
【００３５】
１    本体
２    スロット
４    マイクロスイッチ
５    透過型フォトセンサ
７    反射型フォトセンサ
３１  ＳＤカード
３２  ｍｉｎｉＳＤカード
４０  アダプタ
５０  ＣＰＵ
５３  第１センサ
５４  第２センサ
５７  表示部
５９  内蔵メモリ
１００  情報記録装置
【図１】
2007241547.tif 000003
【図２】
2007241547.tif 000004
【図３】
2007241547.tif 000005
【図４】
2007241547.tif 000006
【図５】
2007241547.tif 000007
【図６】
2007241547.tif 000008
【図７】
2007241547.tif 000009
【図８】
2007241547.tif 000010
【図９】
2007241547.tif 000011
【図１０】
2007241547.tif 000012
【図１１】
2007241547.tif 000013
【図１２】
2007241547.tif 000014
【図１３】
2007241547.tif 000015